(57)【要約】【課題】連結軸とシーブケース底面の間隔を短くして、シーブケースの下方側における空間を少なくし、揺動選別装置の小型化を図る。【解決手段】シーブケース駆動装置３に、側板に支持された揺動アーム３２と、揺動アーム３２に左右両端部を枢支された連結軸３３と、側板に回転自在に支持されたクランク軸３０と、クランク軸３０と連結軸３３を連動連結する連動リンク３４と、が備えられ、シーブケース２０の後部に、連結軸３３に対する連結用の接続ブラケット２７が固定され、連結軸３３に、接続ブラケット２７に対する連結用の取付部材３５が装着され、接続ブラケット２７が、側面視で前記連結軸３３と重複する位置において取付部材３５に連結されている。【選択図】図２
2018099077.tif 000002
【特許請求の範囲】
【請求項１】
シーブケースと、そのシーブケースを揺動作動させるシーブケース駆動装置と、が備えられ、
前記シーブケース駆動装置に、
脱穀装置における左右両側の側板に支持されて、前後揺動自在に構成された揺動アームと、
前記揺動アームの遊端側に左右両端部を枢支された連結軸と、
左右両側の前記側板に回転自在に支持されたクランク軸と、
前記クランク軸と前記連結軸を連動連結する連動リンクと、が備えられ、
前記シーブケースの後部に、前記連結軸に対する連結用の接続ブラケットが固定され、
前記連結軸に、前記接続ブラケットに対する連結用の取付部材が相対回転自在に装着され、
前記接続ブラケットが、側面視で前記連結軸と重複する位置において前記取付部材に連結されている揺動選別装置。
【請求項２】
前記連動リンク及び前記揺動アームは、前記接続ブラケットの存在箇所よりも前記連結軸の中央側寄り箇所で、前記連結軸に連結されている請求項１記載の揺動選別装置。
【請求項３】
前記連結軸の軸端部に前記取付部材が備えられ、その取付部材と前記接続ブラケットが、前記連結軸の軸線方向に沿う方向で連結されている請求項１又は２記載の揺動選別装置。
【請求項４】
前記連動リンクは、前記クランク軸に外嵌するベアリングホルダと、前記連結軸に外嵌するベアリングホルダと、が互いに連結されたものである請求項１〜３のいずれか一項記載の揺動選別装置。
【発明の詳細な説明】
【技術分野】
【０００１】
本発明は、シーブケースと、そのシーブケースを揺動作動させるシーブケース駆動装置と、が備えられた揺動選別装置に関する。
【背景技術】
【０００２】
脱穀装置の揺動選別装置としては、シーブケースを駆動するシーブケース駆動装置が、左右の側板に前後揺動自在に支持した揺動アームの遊端部を連結軸で連結し、この連結軸に枢支された取付部材を介してシーブケースを連結し、側板に回転自在に支持したクランク軸と揺動アームとを連動リンクで連動連結した構造のものが知られている（特許文献１参照）。
【先行技術文献】
【特許文献】
【０００３】
【特許文献１】特開平８−１９１６２４号公報（段落「００１５」、及び図１、図２参照）
【発明の概要】
【発明が解決しようとする課題】
【０００４】
特許文献１に示された揺動選別装置では、連結軸とシーブケースとの連結構造として、シーブケースの底面側から下方側に突出させた接続ブラケットに、連結軸側に枢支された取付部材を下方側から当て付けて、上下方向でボルト連結している。
この構造では、連結軸とシーブケースの底面との間に、必然的に接続ブラケットと取付部材との両者が上下に相対向して存在するための空間を要し、このために、連結軸とシーブケースの底面との間隔が比較的大きくなりがちである点で改善の余地がある。
【０００５】
本発明は、連結軸とシーブケース底面との間隔をより短くして、シーブケースの下方側における空間を少なくし、揺動選別装置の小型化を図ろうとするものである。
【課題を解決するための手段】
【０００６】
本発明における揺動選別装置の特徴は、シーブケースと、そのシーブケースを揺動作動させるシーブケース駆動装置と、が備えられ、前記シーブケース駆動装置に、脱穀装置における左右両側の側板に支持されて、前後揺動自在に構成された揺動アームと、前記揺動アームの遊端側に左右両端部を枢支された連結軸と、左右両側の前記側板に回転自在に支持され、かつ動力源の動力が入力されるクランク軸と、前記クランク軸と前記連結軸を連動連結する連動リンクと、が備えられ、前記シーブケースの後部に、前記連結軸に対する連結用の接続ブラケットが固定され、前記連結軸に、前記接続ブラケットに対する連結用の取付部材が装着され、前記接続ブラケットが、側面視で前記連結軸と重複する位置において前記取付部材に連結されている点にある。
【０００７】
本発明によれば、接続ブラケットが、側面視で連結軸と重複する位置において取付部材に連結されている。
したがって、シーブケースの底面と連結軸との間に、接続ブラケットと取付部材の両者が上下で重なる状態に位置させるための空間を形成する必要がない。これによって、シーブケースの底面と連結軸との間隔を狭めることができ、揺動選別装置の小型化を図り得る利点がある。
【０００８】
本発明においては、前記連動リンク及び前記揺動アームは、前記接続ブラケットの存在箇所よりも前記連結軸の中央側寄り箇所で、前記連結軸に連結されていると好適である。
【０００９】
本発明によれば、連動リンク及び揺動アームが、接続ブラケットとは干渉しない連結軸の中央側寄り箇所に配置されている。即ち、接続ブラケットの存在箇所よりも連結軸の中央側寄り箇所に連動リンク及び揺動アームを位置させることで、接続ブラケットに連動リンク及び揺動アームが側面視で重複することを可能にしている。
したがって、接続ブラケットに対する連動リンク及び揺動アームの干渉を避けて、より一層コンパクトな配置を行うことが可能となるとともに、外側に位置する接続ブラケットの脱着作業が行い易くなる。
【００１０】
本発明においては、前記取付部材と前記接続ブラケットが、前記連結軸の軸線方向に沿う方向で連結されていると好適である。
【００１１】
本発明によれば、取付部材と接続ブラケットが、連結軸の軸線方向に沿う方向で連結されているので、必然的に取付部材と接続ブラケットも側面視で重なる状態に位置し、これらの取付部材と接続ブラケットを、シーブケースの底面と連結軸との間に位置させる必要がないので、さらに揺動選別装置のコンパクト化を図ることができる。
【００１２】
本発明においては、前記連動リンクは、前記クランク軸に外嵌するベアリングホルダと、前記連結軸に外嵌するベアリングホルダと、が互いに連結されたものであると好適である。
【００１３】
本発明によれば、クランク軸に外嵌するベアリングホルダと、連結軸に外嵌するベアリングホルダとの連結体を、連動リンクとして利用するので、連動リンクの長さも必要最小限の長さに設定して、揺動選別装置の、より一層のコンパクト化を図ることができる。
【図面の簡単な説明】
【００１４】
【図１】脱穀装置を示し、前後方向に沿う上下方向での断面図である。
【図２】シーブケースの一部、及びシーブケース駆動装置を示す上下方向での一部切り欠き側面図である。
【図３】シーブケース駆動装置を示し、平面視での一部切り欠き断面図である。
【図４】シーブケース駆動装置を示す分解斜視図である。
【図５】脱穀装置を示し、左右方向に沿った上下方向断面図である。
【図６】コンケーブの一部を示す平面図である。
【図７】図６のVII-VII線箇所における拡大断面図である。
【発明を実施するための形態】
【００１５】
以下、本発明の実施の形態の一例を図面の記載に基づいて説明する。
尚、本実施形態での説明における前後方向及び左右方向は、特段の説明がない限り、次のように記載している。つまり、本発明を適用したトウモロコシ収穫機の作業走行時における前進側の進行方向（図１における矢印Ｆ参照）が「前」、後進側への進行方向（図１における矢印Ｂ参照）が「後」、その前後方向での前向き姿勢を基準としての右側に相当する方向（図３における矢印Ｒ参照）が「右」、同様に左側に相当する方向（図３における矢印Ｌ参照）が「左」である。
【００１６】
〔トウモロコシ収穫機の構成〕
図１は、本発明に係る揺動選別装置２が適用されたトウモロコシ収穫機用の脱穀装置１を示している。
本発明に係るトウモロコシ収穫機は、トウモロコシの収穫に際して、穂軸周りに存在する多数の種子が包葉部で包み込まれて房状に実った作物部分（房部）を収穫し、さらに脱穀処理して穂軸から脱粒させた作物粒を回収するものである。
このトウモロコシ収穫機は、図示しない走行装置を備え、図示しない前処理装置で収集したトウモロコシ作物の房部を脱穀装置１内に投入して脱穀処理し、粒状に処理して図示しない貯留タンクに貯留するように構成されている。
【００１７】
脱穀装置１は、内部に扱室１Ａが形成されている脱穀部ケース１０を備え、その脱穀部ケース１０内に、前後方向の軸心ｚ１回りで回転駆動される軸流型の扱胴１１を備えている。扱胴１１を内装した扱室１Ａの前部に、フィードコンベア１２から処理対象の作物が搬送供給され、供給された作物を、扱胴１１の扱歯１１ａで脱穀しながら後方へ移送する。
【００１８】
扱室１Ａ内では、扱胴１１の下部に備えたコンケーブ１３で脱穀処理後の作物が一旦受け止められ、コンケーブ１３での選別作用を受けて、コンケーブ１３を漏下した作物粒が揺動選別装置２に送り込まれる。
コンケーブ１３上に残る穂軸や葉屑等は扱胴１１の回転に伴って後方送りされ、扱室１Ａの後方から機外へ排出される。
また、扱室１Ａ内には、コンケーブ１３を通過して揺動選別装置２に供給された作物を風選処理するための唐箕１４が備えられている。
【００１９】
コンケーブ１３は、図５乃至図７に示すように、扱胴１１の軸線方向に沿う板状の縦桟部材１３ａと、扱胴１１の回転方向に沿う棒状の横桟部材１３ｂを格子状に組み合わせて構成されている。
この構造において、縦桟部材１３ａは、扱胴１１の回転方向に対しては直交する方向に沿った状態となっている。このため、本発明のものでは、縦桟部材１３ａのうち、扱胴１１に近い半径方向内方側の端縁で、扱胴１１の回転方向上手側に相当する部分が、図７に示すように面取り加工されていて、回転方向の上手側が扱胴１１の回転中心からの距離が大きい傾斜面１３ｃとなっている。
これによって、トウモロコシの粒取りを行う際などの、比較的柔らかな作物の脱穀時に、縦桟部材１３ａの先鋭な角部が作物粒に接触する可能性を低減することができる。その結果、作物粒の損傷を軽減し易くなる。
【００２０】
〔揺動選別装置〕
揺動選別装置２は、シーブケース２０と、そのシーブケース２０を揺動作動させるシーブケース駆動装置３と、を備えている。
シーブケース２０は、コンケーブ１３を漏下した作物粒を受け止めるチャフシーブ２１や篩い線２２、グレンシーブ２３等を備えている。このシーブケース２０がシーブケース駆動装置３による揺動作動を受け、その揺動作動に伴って、シーブケース２０上の作物粒が、唐箕１４から供給される選別風による風選作用を受けることになる。
【００２１】
シーブケース２０を揺動作動させる装置としては、図１に示すように、シーブケース２０の前部に備えた前部ガイド装置２４と、シーブケース２０の後部に備えたシーブケース駆動装置３と、がある。
【００２２】
前部ガイド装置２４は、シーブケース２０の前部に備えたガイドローラ２５と、脱穀装置１の横側壁部に備えた少し前下がり姿勢のガイドレール２６とを備えている。そして、ガイドローラ２５をガイドレール２６に案内させながらシーブケースを前後揺動させることにより、シーブケース２０の前部が、前後方向で斜め前方下方と斜め後方上方とにわたる所定範囲で、スライド移動するように構成されている。
【００２３】
シーブケース２０の後部に備えたシーブケース駆動装置３は、次のように構成されている。
図１乃至図４に示すように、脱穀装置１における左右両側の側板１０Ｌ，１０Ｒにわたって、偏心した軸部を備えるクランク軸３０が左右方向の回転軸心ｘ１回りで回転自在に設けられている。クランク軸３０の一端部は、脱穀部ケース１０の外側へ突出させてあり、この突出した軸端部に、図外のエンジンなどの動力源から外部動力を導入するための入力プーリ１５が装着されている。
また、左右両側の側板１０Ｌ，１０Ｒには、クランク軸３０が設けられた箇所よりも後方側位置に、左右方向の揺動軸心ｘ２を有した支軸３１回りで前後揺動自在な揺動アーム３２が設けられている。そして、この揺動アーム３２の遊端側に、連結軸３３の左右両端部が枢支されている。
【００２４】
クランク軸３０と連結軸３３は、連動リンク３４によって連動連結されている。この連動リンク３４は、クランク軸３０の偏心した軸部に外嵌するベアリングホルダ３４Ａと、連結軸３３に外嵌するベアリングホルダ３４Ｂと、が互いに連結ボルト３４Ｃでボルト連結されたものである。このように、ベアリングホルダ３４Ａ，３４Ｂ同士を互いに連結することによって、連動リンク３４の全体長さを極力短くしている。
この連動リンク３４は、ベアリングホルダ３４Ａ，３４Ｂ同士の接合面箇所に、図２及び図４に示すような凸部３４ａと凹部３４ｂを形成してある。つまり、接合面箇所の一方側に凸部３４ａを、他方側に凹部３４ｂを形成して係合させることにより、連結方向に直交する方向での外力が連結ボルト３４Ｃに直接的に作用しないように構成されている。これによって、連結ボルト３４Ｃに大きな剪断力が作用することを回避できるようにしてある。
【００２５】
連結軸３３には、左右両端部に揺動アーム３２と連動リンク３４が相対回動自在に連結されているが、その揺動アーム３２や連動リンク３４よりも軸端側寄り箇所に、シーブケース２０側の接続ブラケット２７と連結される取付部材３５が一体に装着されている。つまり、連動リンク３４及び揺動アーム３２は、接続ブラケット２７の存在箇所、及び取付部材３５の存在箇所よりも連結軸３３の中央側寄り箇所で、連結軸３３に相対回動自在に連結されている。
【００２６】
シーブケース２０の接続ブラケット２７は、図２及び図３に示すように、その底面２０Ｂ側にではなく、左側面２０Ｌ及び右側面２０Ｒのそれぞれに固定されていて、シーブケース２０の後部付近から後方斜め下方に向けて延出されている。
そして、シーブケース２０から延出された接続ブラケット２７に対して、連結軸３３に装着された取付部材３５は、外端部を接続ブラケット２７の内向き面２７ａ、つまりシーブケース２０の内方側に向かう面に取付面３５ａを当て付けた状態で、シーブケース２０の横外側に相当する方向から連結ボルト３５ｂで連結されている。
【００２７】
このとき、連結された接続ブラケット２７と取付部材３５は、図２に示すように、側面視で接続ブラケット２７が連結軸３３と重複する位置関係となるように、互いの取付位置が設定されている。これは、接続ブラケット２７に対して取付部材３５を、連結軸３３の軸線方向に沿って配設し、接続ブラケット２７と取付部材３５を横並び状態にして、左右横方向からの連結が可能であるようにしたことにより、側面視での接続ブラケット２７と連結軸３３の重複を可能にしたものである。
【００２８】
連結軸３３を支持する左右両側の揺動アーム３２の支軸３１は、図３及び図４に示されるように、取付台座３６を介して脱穀装置１の左右両側の側板１０Ｌ，１０Ｒに取り付けられている。
取付台座３６は、円錐筒状部３７Ａの先端側にネジ止めされた支軸３１とクランク軸３０の軸受装着部３７Ｂを一体的に備えた軸側台座部分３７と、その軸側台座部分３７に対する固定連結用の連結孔部３８ａと左右の側板１０Ｌ，１０Ｒに対する固定連結用の連結孔部３８ｂを一体に備えた取付プレート部分３８と、を備えている。
【００２９】
上記のように、軸側台座部分３７に支軸３１と軸受装着部３７Ｂが一体的に備えられているので、支軸３１の位置とクランク軸３０の位置との軸間距離を精度良く維持したまま、取付プレート部分３８を利用して、左右の側板１０Ｌ，１０Ｒに対する取付台座３６の脱着作業を容易に行うことができる。
【００３０】
〔別実施形態〕
（１）上記した実施形態では、連動リンク３４及び揺動アーム３２が、接続ブラケット２７の存在箇所よりも連結軸３３の軸線方向での中央側寄り箇所で、連結軸３３に連結された構造のものを例示したが、この構造に限られるものではない。
例えば、連動リンク３４又は揺動アーム３２の何れか一方、もしくは両方を、接続ブラケット２７の存在箇所よりも連結軸３３の軸線方向での軸端側寄り箇所に位置させて、連結軸３３に連結させた構造のものであってもよい。
その他の構成は、前述した実施形態と同様の構成を採用すればよい。
【００３１】
（２）上記した実施形態では、取付部材３５と接続ブラケット２７が、連結軸３３の軸線方向に沿う方向で連結された構造のものを例示したが、必ずしも、この構造に限られるものではない。
例えば、図示はしないが、取付部材３５と接続ブラケット２７のそれぞれが、部分的に前後方向で相対向する対向面を備え、その対向面同士を当接させた状態で、前後方向に締結する連結ボルトを用い、ボルト連結するような構造であってもよい。
その他の構成は、前述した実施形態と同様の構成を採用すればよい。
【００３２】
（３）上記した実施形態では、連動リンク３４として、クランク軸３０の偏心した軸部に外嵌するベアリングホルダ３４Ａと、連結軸３３に外嵌するベアリングホルダ３４Ｂと、を直接的に連結した構造のものを例示したが、この構造に限られるものではない。
例えば、クランク軸３０と連結軸３３の間における軸間距離に応じて、所定長さのリンク部材を用い、そのリンク部材に別途ベアリングホルダ３４Ａ、３４Ｂを設けて連動リンク３４を構成してもよい。
その他の構成は、前述した実施形態と同様の構成を採用すればよい。
【産業上の利用可能性】
【００３３】
本発明は、トウモロコシ収穫機の揺動選別装置の他、米、麦、豆類、あるいは花卉等を収穫するコンバインの揺動選別装置や、定置型の脱穀機の揺動選別装置にも利用できる。
【符号の説明】
【００３４】
３                駆動装置
１０Ｌ，１０Ｒ    側板
２０              シーブケース
２７              接続ブラケット
３０              クランク軸
３２              揺動アーム
３３              連結軸
３４              連動リンク
３４Ａ            ベアリングホルダ
３４Ｂ            ベアリングホルダ
３５              取付部材
【図１】
2018099077.tif 000003
【図２】
2018099077.tif 000004
【図３】
2018099077.tif 000005
【図４】
2018099077.tif 000006
【図５】
2018099077.tif 000007
【図６】
2018099077.tif 000008
【図７】
2018099077.tif 000009